(57)【要約】【課題】スマートフォンやタブレットコンピュータ等身近に携行する物品に粘付させ幼児から高齢者に至る広範囲の使用者が様々な状況において忘失する事なく手指に負担が掛からず即座に使用することができ、取付や使用に際して複雑な操作や工具を必要とせず簡易に製造でき且つ修飾部分や宣伝効果の高い飾り部を有する安全かつ簡易な携帯用電子機器把持器具を安価に提供すること。【解決手段】保護バックシートで外覆する接着パッド部が接着された基板部と連続して飾板部を形成し、該両板材にＵ字枠部を介して指掛けリング部を回動、起伏自在に配置してなり、該指掛けリング部内径が成人男子の平均的指外径より一定の範囲で大きく且つ該リング部側面形状が正弦曲線から構成されて手指に負荷が掛からずかつ前記飾板表面を修飾のみならず宣伝広告のための表示部となし企業名、商品名等を記載するように構成することにより課題を解決している。【選択図】図７
0003215922.tif 000002
【実用新案登録請求の範囲】
【請求項１】
基板部、飾板部及び指掛けリング部を保持するＵ字枠部が強固に固定された把持部本体であって該基板部には電子機器の背面に着脱可能に付着する接着パッド部が形成された携帯用電子機器把持器具において、該指掛けリング部の正面形状は略真円状であり側面から見て連続した正弦波形状であり、また該指掛けリング部の可動範囲は該リング中心を基点に円周方向に回動自在であり且つ該Ｕ字枠を基点として前記電子機器背面の一方から他方に向けて１８０度の範囲で回動自在である事ことを特徴とする携帯用電子機器把持器具。
【請求項２】
前記指掛けリング部の正面形状は略真円状で、該リング部内径Ｒは成人男子の親指を除く手指の平均的外径をｒとした場合Ｒ＝１．２ｒ〜２．０ｒであり、該指掛けリング部の側面展開図において垂直縦軸をＹ軸、水平横軸をＸ軸、振幅Ａ＝１／１０ｒ〜１／２ｒとした場合、該指掛けリング部は、その側面展開図においてＹ＝Ａ  Ｓｉｎ２θの正弦波形状で構成されてなることを特徴とする請求項１記載の携帯用電子機器把持器具。
【考案の詳細な説明】
【考案の詳細な説明】
【技術分野】
【０００１】  本考案は例えばスマートフォン、タブレットコンピュータの背面に付着され、使用者が前記機器類を不用意に落下させたりすることなく安全に保持し入出力作業が楽にできるように保持行為を補助する携帯用電子機器把持器具に関するものである。
【背景技術】
【０００２】  従来、スマートフォンやタブレット等携帯用電子機器の普及に伴い、不注意による該機器の落下墜落による損傷事故が多発しているので、墜落事故から未然に機器を護るため種々な対策が考案されている。例えば［特許文献１］参照の通りストッパー付きの回動式把手を機器本体に当初から装置してあるもの。また携帯用電子機器本体裏側にベルト式把手を取付けるものや手指１本分の開口部を有する樹脂板を固定した基板に接着パッド部を介して固定し、指通し保持部を形成する等の事例（例えば［特許文献２］）、更には手指掛けリング部を縦方向、横方向の２方向に回転軸を有する保持部を介して基礎板に取付け該基礎板を携帯用電子機器本体に接着する技術は広く知られている。しかしながら［特許文献１］の事例は主として重量物を運搬する時の回転式把手に取付けるものであり全体として構造が複雑に過ぎ高価にならざるを得ない。また［特許文献２］の事例ではベルト式把手の場合において該ベルト両端部構を各々デイスクを介して基礎板に固定する構成であり、構成が複雑な割には機器本体への固定方法と効果が疑問視されるものである。更に［特許文献２］の手指１本分の開口部を有する樹脂板を固定した基板を用いた事例では突出した樹脂板を折畳みできずポケットに収納した場合不具合を生ずる。また本文献には取付き基礎板を電子機器本体裏面に取り付ける様々な事例が記載されているが、いずれの場合も手指リングの形状は単純な円形平板状であり、実際に手指をリングに貫通させた場合の手指にかかる負荷を考慮したものではない。
【先行技術文献】
【特許文献】
【０００３】
【特許文献１】特開２００３−３１８５５５号公報
【特許文献２】特許第５６２２９４６号公報
【考案の概要】
【考案が解決しようとする課題】
【０００４】  本考案の目的はこのような難点を解消するものであり、すなわち複雑な回転部、ストッパー部や螺子等の取付部品や工具を必要としない簡易な構造であり、かつ手指貫通部分は突起固定板式ではなく側面から見て波形の手指リングとなし、該リングはＵ字枠を介して基板、飾板に回動、起倒ともに自在に留置する方式としたので、簡単に且つ安価に製造すると共に、該手指リング部はその内径において親指を除く平均的手指の直径よりかなり大なる口径であり、手指を貫通させても余裕があり指に負担がかからない。さらに該リングは側面から見て正弦波の連続形状になるように凹凸があるので凸部を指の背に当たるように選択すれば更に指に負荷のかからない曲率となっている。また基板背面には剥離材で外被された粘着層が形成されているので剥離材を排除して携帯用電子機器等に粘着添付できるので幼児から老齢者に至る広範囲の使用者が必要に応じて即座に取付けることができるものである。上記のように安全かつ簡易であり安価である手指保持効果の確実な指掛けリング部及び粘着パッド部を有する携帯用電子機器把持器具を提供することにある。
【課題を解決するための手段】
【０００５】  請求項１に記載の考案によれば、金属、木材、熱可塑性樹脂材あるいは熱硬化性樹脂材等を原材料とした指掛けリング部はＵ字枠部を介して基板部、飾板部に回動及び起伏自在に固定され、該基板部の背面裏層部には表面に保護シートが付いた相互に接着パッド部が形成されている事により任意の携帯用電子機器背面に該電子機器本体を傷つける事なく接着あるいは剥離することが可能である。前記Ｕ字枠部の両端部には取付用金属片があり、飾板部を通して基板部に取外し自在に固定されているので前記指掛けリングの取付け或は交換等が容易である。さらに前記指掛けリング部の正面形状は略真円形であるが該側面形状は正弦波の連続形状に形成されてなり凹凸部を有するので該リング部を摘み上げやすく手指を貫通させるのが容易である。また前記指掛けリング部は回転軸や回転ピン等で固定されていないので円周方向への回転あるいは機器背面上での起伏動作が自在にできることにより課題を解決している。【０００６】  請求項２に記載の考案によれば、成人男子における親指を除く手指の平均的外径前をｒとした場合、前記指掛けリング部の内径ＲはＲ＝１．２ｒ〜２．０ｒの範囲における略真円形であり、前記指掛けリング部の側面形状は側面展開図をもって示せばＹ＝Ａ  Ｓｉｎ２θの正弦波曲線から構成されてなり、このとき垂直軸Ｙ，水平軸Ｘ、振幅Ａ＝１／１０ｒ〜１／２ｒの範囲となすことにより課題を解決している。【０００７】  すなわち、本考案によれば前記携帯用電子機器把持器具本体取付金具を除く各部は木材、皮革、金属、樹脂等様々な素材により成形できるので製造が極めて容易且つ安価であり、容易に加工できるものである。さらに指掛けリング部は平板状素材から略真円形を抜き成形した後の二次可能により任意の正弦曲線を持つ原型に熱加工や加圧加工により形成自由であり、素材選択に応じて自由に加工できる特性を有する。したがって裏面に粘着層を有する基板及び飾板にＵ字枠部を介して取り付けるだけであるから様々な需要要望に応じて仕様を変化させやすくまた当然の事ながら更に様々な装飾性を持たせる事もできる。
【考案の効果】
【０００８】  上述のように本考案の携帯用電子機器把持器具は、手指筋力の衰えた高齢者のみならず例えば携帯電話、タブレットコンピュータ等手がかりの部の少ない身近な携帯用電子機器を手指のみで支えて使用する場合に使用機器背面に容易に粘着できるので確認や入力等の視認行動が極めて容易であり操作処理効果を高める事ができる。取り分け前記指掛けリング部はその内径において成人の手指の平均的外径の１．２ないし２．０倍であり且つ該リング部自体が正弦曲線で構成されているので保持している手指に負荷が係り難く楽である。また本品は安価かつ小型軽量なので様々な使用者を対象とする事の多い教育施設等に多数備えておく事も容易であり広範囲の使用者の使用条件を考慮した安全かつ簡易であり効果の確実な携帯用電子機器把持器具として有効な把持効果をもたらす把持補助具として簡便かつ極めて効果的である。【０００９】  また本考案の携帯用電子機器把持器具は電子機器類の保持のみならず化粧用コンパクトやパスケース、ビジネス手帳等の小型携行品の背後に粘着層で粘着携帯できるので忘失や落下を防ぎ把持効果を高めるためにも極めて有効である。更に比較的安価に製造できるので企業等の記銘宣伝具としても使用する事ができる等、日常生活においても簡便かつ極めて効果的である。
【実施例】
【００１０】    以下、添付図面に従って一実施例を説明する。［第１図］によって説明すると本図は、携帯用電子機器把持器具本体の正面図である。剥離材を除き粘着層を介して携帯用電子機器背面に接着した本体使用状態を示す背面図でもある。【００１１】  ［第２図］によって説明すると、本図は前記把持器具本体の側面図であり、左右同形を示す。便宜上、指掛けリング部は垂直下垂状態とする。【００１２】  ［第３図］によって説明すると、本図は［第１図］の背面図であり、保護バックシートの付いた接着パッド部の面である。【００１３】  ［第４図］によって説明すると、本図は［第１図］のＡ−Ａ’線における断面図であり構造説明図である。【００１４】  ［第５図］によって説明すると、本図は［第２図］の平面図である。【００１５】  ［第６図］によって説明すると、本図は［第１図］のＢ−Ｂ’線における断面図であり、構造説明図である。【００１６】  ［第７図］によって説明すると、本図は本考案実施例の使用状態を示す斜視図による説明図である。【００１７】  ［第８図］によって説明すると、本図は指掛けリング部の円周方向へ展開した側面展開図であり、正弦曲線の仕様形状を示す模式図である。【００１８】
【図面の簡単な説明】
【００１９】
【図１】本考案実施例の正面図である。
【図２】本考案実施例の左右側面図である。
【図３】本考案実施例の機器接着面である背面図である。
【図４】［図１］Ａ−Ａ’線部による断面図である。
【図５】本考案実施例の平面図である。
【図６】［図１］Ｂ−Ｂ’線部による断面図である。
【図７】本考案実施例を携帯機器に取付け手指に指掛けリングを通した使用状態を示す斜視図による説明図である。
【図８】本考案実施例の指掛けリングの側面形状の数式特徴を示す側面展開図による説明図である。
【符号の説明】
【００２０】    １    把持器具本体
２    基板部
３    飾板部
４    接着パッド部
５    保護シート部
６    Ｕ字枠部
７    取付金具部
８    取付溝部
９    指掛けリング部
１０  携帯用電子機器本体
１１  手指
【図１】
0003215922.tif 000003
【図２】
0003215922.tif 000004
【図３】
0003215922.tif 000005
【図４】
0003215922.tif 000006
【図５】
0003215922.tif 000007
【図６】
0003215922.tif 000008
【図７】
0003215922.tif 000009
【図８】
0003215922.tif 000010